(57)【要約】  本出願の実施例は、端末のＳＤＡＰ層エンティティが応用層からのＳＤＡＰサビースデータユニット（ＳＤＵ）を受信することと、ＳＤＡＰ層エンティティがＳＤＡＰ  ＳＤＵを処理してＳＤＡＰプロトコルデータユニット（ＰＤＵ）を取得することと、ＳＤＡＰ層エンティティが下位層エンティティにＳＤＡＰ  ＰＤＵを送信することと、を含む、データ伝送制御方法および関連製品を開示する。本出願の実施例のＲＱＩを搬送しないＳＤＡＰ  ＰＤＵの伝送方法は、端末側ＳＤＡＰ層データ処理のリアルタイム性能を改善するのに有益である。
2021516462.tif 000002
【特許請求の範囲】
【請求項１】
データ伝送制御方法であって、
サビースデータ適応プロトコル（ＳＤＡＰ）層エンティティを含む端末に適用され、前記データ伝送制御方法は、
前記ＳＤＡＰ層エンティティが、応用層からのＳＤＡＰサビースデータユニット（ＳＤＵ）を受信することと、
前記ＳＤＡＰ層エンティティが、前記ＳＤＡＰ  ＳＤＵを処理して、ＳＤＡＰプロトコルデータユニット（ＰＤＵ）を取得することと、
前記ＳＤＡＰ層エンティティが、下位層エンティティに前記ＳＤＡＰ  ＰＤＵを送信することと、を含む、前記データ伝送制御方法。
【請求項２】
前記ＳＤＡＰ層エンティティが、前記ＳＤＡＰ  ＳＤＵを処理して、ＳＤＡＰプロトコルデータユニット（ＰＤＵ）を取得することは、
前記ＳＤＡＰ層エンティティが、無線リソース制御（ＲＲＣ）層エンティティによって構成されたプリセットフォーマットにしたがって前記ＳＤＡＰ  ＳＤＵを処理してＳＤＡＰ  ＰＤＵを取得することを含む、
請求項１に記載のデータ伝送制御方法。
【請求項３】
前記ＳＤＡＰ  ＰＤＵは、ＳＤＡＰヘッダ（ｈｅａｄｅｒ）およびＳＤＡＰペイロード（ｐａｙｌｏａｄ）を含み、前記ＳＤＡＰ  ｈｅａｄｅｒのビット長は８ビットであり、前記ＳＤＡＰ  ｈｅａｄｅｒは、予約済みＲ情報およびサビース品質フロー識別（ＱＦＩ）を含み、
前記Ｒ情報は、前記ＳＤＡＰ  ｈｅａｄｅｒの最上位ビットを占め、前記ＱＦＩのビット長は７ビットであり、または、
前記Ｒ情報は、前記ＳＤＡＰ  ｈｅａｄｅｒの最上位ビットおよび２番目の最上位ビットを占め、前記ＱＦＩのビット長は６ビットである、
請求項１または２に記載のデータ伝送制御方法。
【請求項４】
前記ＳＤＡＰ  ＰＤＵは、ＳＤＡＰヘッダ（ｈｅａｄｅｒ）およびＳＤＡＰペイロード（ｐａｙｌｏａｄ）を含み、前記ＳＤＡＰ  ｈｅａｄｅｒのビット長は８ビットであり、前記ＳＤＡＰ  ｈｅａｄｅｒは、ＱＦＩのビット長を指示するためのビット長インジケータおよびサビース品質フロー識別（ＱＦＩ）を含む、
請求項１または２に記載のデータ伝送制御方法。
【請求項５】
前記ビット長インジケータによって指示される前記ＱＦＩのビット長は６ビットまたは７ビットである、
請求項４に記載のデータ伝送制御方法。
【請求項６】
前記ＱＦＩのビット長は６ビットであり、前記ＱＦＩは前記端末用のコアネットワーク装置によって構成された参照ＱＦＩに対応し、且つ前記参照ＱＦＩによって指示される５Ｇ  ＱｏＳの特徴と５Ｇサビース品質スケール値５ＱＩの間には１対１の対応関係があり、且つ前記ＳＤＡＰ  ｈｅａｄｅｒには１ビットの予約済みＲ情報がある、
請求項５に記載のデータ伝送制御方法。
【請求項７】
前記ＱＦＩのビット長は７ビットであり、前記ＱＦＩは５Ｇサビース品質スケール値５ＱＩと等しい、
請求項５に記載のデータ伝送制御方法。
【請求項８】
端末であって、
端末に適用され、前記端末は、サビースデータ適応プロトコル（ＳＤＡＰ）層エンティティを含み、前記端末は、処理ユニットおよび通信ユニットを含み、
前記処理ユニットは、前記ＳＤＡＰ層エンティティが前記通信ユニットを介して応用層からのＳＤＡＰサビースデータユニット（ＳＤＵ）を受信することを制御し、前記ＳＤＡＰ層エンティティが前記ＳＤＡＰ  ＳＤＵを処理してＳＤＡＰプロトコルデータユニット（ＰＤＵ）を取得することを制御し、前記ＳＤＡＰ層エンティティが前記通信ユニットを介して下位層エンティティに前記ＳＤＡＰ  ＰＤＵを送信することを制御するためである、前記端末。
【請求項９】
前記ＳＤＡＰエンティティが前記ＳＤＡＰ  ＳＤＵを処理してＳＤＡＰプロトコルデータユニット（ＰＤＵ）を取得することを制御する態様において、前記処理ユニットは、具体的に、前記ＳＤＡＰ層エンティティが、ＲＲＣ層エンティティによって構成されたプリセットフォーマットにしたがって前記ＳＤＡＰ  ＳＤＵを処理してＳＤＡＰ  ＰＤＵを取得するように制御するためである、
請求項８に記載の端末。
【請求項１０】
前記ＳＤＡＰ  ＰＤＵは、ＳＤＡＰ  ヘッダ（ｈｅａｄｅｒ）およびＳＤＡＰ  ペイロード（ｐａｙｌｏａｄ）を含み、前記ＳＤＡＰ  ｈｅａｄｅｒのビット長は８ビットであり、前記ＳＤＡＰ  ｈｅａｄｅｒは、予約済みＲ情報およびサビース品質フロー識別（ＱＦＩ）を含み、
前記Ｒ情報は、前記ＳＤＡＰ  ｈｅａｄｅｒの最上位ビットを占め、前記ＱＦＩのビット長は７ビットであり、または、
前記Ｒ情報は、前記ＳＤＡＰ  ｈｅａｄｅｒの最上位ビットおよび２番目の最上位ビットを占め、前記ＱＦＩのビット長は６ビットである、
請求項８または９に記載の端末。
【請求項１１】
前記ＳＤＡＰ  ＰＤＵは、ＳＤＡＰ  ヘッダ（ｈｅａｄｅｒ）およびＳＤＡＰ  ペイロード（ｐａｙｌｏａｄ）を含み、前記ＳＤＡＰ  ｈｅａｄｅｒのビット長は８ビットであり、前記ＳＤＡＰ  ｈｅａｄｅｒは、ＱＦＩのビット長を指示するためのビット長インジケータおよびサビース品質フロー識別（ＱＦＩ）を含む、
請求項８または９に記載の端末。
【請求項１２】
前記ビット長インジケータによって指示される前記ＱＦＩのビット長は６ビットまたは７ビットである、
請求項１１に記載の端末。
【請求項１３】
前記ＱＦＩのビット長は６ビットであり、前記ＱＦＩは前記端末用のコアネットワーク装置によって構成された参照ＱＦＩに対応し、前記参照ＱＦＩのビット長は７ビットであり、且つ前記参照ＱＦＩによって指示される５Ｇ  ＱｏＳの特徴と５Ｇサビース品質スケール値５ＱＩの間には１対１の対応関係があり、且つ前記ＳＤＡＰ  ｈｅａｄｅｒには１ビットの予約済みＲ情報がある、
請求項１２に記載の端末。
【請求項１４】
前記ＱＦＩのビット長は７ビットであり、前記ＱＦＩは５Ｇサビース品質スケール値５ＱＩと等しい、
請求項１２に記載の端末。
【請求項１５】
端末であって、
プロセッサ、メモリ、通信インターフェース、および１つまたは複数のプログラムを含み、前記１つまたは複数のプログラムは前記メモリに記憶され、前記プロセッサによって実行されるように構成され、前記プログラムは、請求項１ないし７のいずれか一項に記載のデータ伝送制御方法のステップを実行するための命令を含む、前記端末。
【請求項１６】
コンピュータ読み取り可能な記憶媒体であって、
電子データ交換用のコンピュータプログラムを記憶し、前記コンピュータプログラムは、コンピュータに請求項１ないし７のいずれか一項に記載のデータ伝送制御方法を実行させる、前記コンピュータ読み取り可能な記憶媒体。
【発明の詳細な説明】
【技術分野】
【０００１】
本出願は、通信技術分野に関し、特にデータ伝送制御方法および関連製品に関する。
【背景技術】
【０００２】
無線および有線技術の継続的な発展につれて、現在、ニューラジオ（ＮＲ：ｎｅｗ  ｒａｄｉｏ）無線通信システムには、ユーザープレーンプロトコルスタック（Ｕｓｅｒ  ｐｌａｎｅ  ｐｒｏｔｏｃｏｌ  ｓｔａｃｋ）にサビースデータ適応プロトコル（ＳＤＡＰ：Ｓｅｒｖｉｃｅ  Ｄａｔａ  Ａｄａｐｔａｔｉｏｎ  Ｐｒｏｔｏｃｏｌ）層を導入して、サビース品質（ＱｏＳ）フローとデータ無線ベアラ（ＤＲＢ：Ｄａｔａ  Ｒａｄｉｏ  Ｂｅａｒｅｒ）の間のマッピングを完成し、およびアップリンクとダウンリンクのデータパケットでＱｏＳフロー識別（ＱＦＩ：ＱｏＳ  ｆｌｏｗ  ＩＤ）を識別する。
【０００３】
現在の結論は、アクセス層（ＡＳ：Ａｃｃｅｓｓ  Ｓｔｒａｔｕｍ）および非アクセス層（ＮＡＳ：ｎｏｎ−Ａｃｃｅｓｓ  Ｓｔｒａｔｕｍ）サビース品質マッピング（ｒｅｆｌｅｃｔｉｖｅ  ＱｏＳ）は独立してサポートされ、即ち、ダウンリンクにおいて、ＳＤＡＰ層プロトコルデータユニット（ＰＤＵ：Ｐｒｏｔｏｃｏｌ  Ｄａｔａ  Ｕｎｉｔ）は、少なくとも１ビットのＱｏＳ指示マッピング（ＲＱＩ：ｒｅｆｌｅｃｔｉｖｅ  ＱｏＳ  ｉｎｄｉｃａｔｏｒ）を搬送する必要がある。ただし、アップリンクにおいて、ＳＤＡＰ層ＰＤＵは、ＲＱＩを搬送する必要がない。現在は、ＳＤＡＰ  ＰＤＵに対するアップリンク伝送制御方案がまだ有しない。
【発明の概要】
【発明が解決しようとする課題】
【０００４】
本出願の実施例は、データ伝送制御方法および関連製品を提供して、ＲＱＩを搬送しないＳＤＡＰ  ＰＤＵの伝送方法を提供することにより、端末側ＳＤＡＰ層データ処理のリアルタイム性能を改善するのに有益である。
【課題を解決するための手段】
【０００５】
第１の態様において、本出願の実施例は、サビースデータ適応プロトコル（ＳＤＡＰ）層エンティティを含む端末に適用され、
前記ＳＤＡＰ層エンティティが、応用層からのＳＤＡＰサビースデータユニット（ＳＤＵ）を受信することと、
前記ＳＤＡＰ層エンティティが、前記ＳＤＡＰ  ＳＤＵを処理して、ＳＤＡＰプロトコルデータユニット（ＰＤＵ）を取得することと、
前記ＳＤＡＰ層エンティティが、下位層エンティティに前記ＳＤＡＰ  ＰＤＵを送信することと、を含むデータ伝送制御方法を提供する。
【０００６】
第２の態様において、本出願の実施例は、前記方法設計における端末の挙動を実現する機能を備える端末を提供する。前記機能は、ハードウェアによって実現されてもよく、対応するソフトウェアを実行するハードウェアによって実現されてもよい。前記ハードウェアまたはソフトウェアは、前記機能に対応する１つまたは複数のモジュールを含む。１つの可能な設計において、端末は、前記方法で対応する機能を実行するために端末をサポートするように構成されるプロセッサを含む。さらに、端末は、端末とネットワーク装置の間の通信をサポートするためのトランシーバをさらに含む。さらに、端末は、プロセッサに結合するために使用され、端末に必要なプログラム命令およびデータを保存するメモリをさらに含む。
【０００７】
第３の態様において、本出願の実施例は、プロセッサ、メモリ、通信インターフェースおよび１つまたは複数のプログラムを含む端末を提供し、ここで、前記１つまたは複数のプログラムは前記メモリに記憶され、前記プロセッサによって実行されるように構成され、前記プログラムは、本出願の実施例の第２の態様における任意の方法のステップを実行するための命令を含む。
【０００８】
第４の態様において、本出願の実施例は、電子データ交換用のコンピュータプログラムを記憶するためのコンピュータ読み取り可能な記憶媒体を提供し、ここで、前記コンピュータプログラムは、コンピュータに本出願の実施例の第１の態様における任意の方法に記載のステップの一部または全部を実行させる。
【０００９】
第５の態様において、本出願の実施例は、コンピュータプログラム製品を提供し、ここで、前記コンピュータプログラム製品は、コンピュータプログラムを記憶する非一時的コンピュータ読み取り可能な記憶媒体を含み、前記コンピュータプログラムは、コンピュータに本出願の実施例の第１の態様における任意の方法に記載のステップの一部または全部を実行させるように動作可能である。前記コンピュータプログラム製品は、１つのソフトウェアインストールパッケージであり得る。
【発明の効果】
【００１０】
本出願の実施例では、まず、端末のＳＤＡＰエンティティは、応用層からのＳＤＡＰサビースデータユニット（ＳＤＵ）を受信し、次に、ＳＤＡＰエンティティ処理ＳＤＡＰ  ＳＤＵは、ＳＤＡＰプロトコルデータユニット（ＰＤＵ）を取得し、最後に、ＳＤＡＰエンティティは下位層エンティティにＳＤＡＰ  ＰＤＵを送信することが分かる。それため、端末のＳＤＡＰ層エンティティは、受信されたＳＤＡＰ  ＳＤＵをリアルタイムでＳＤＡＰ  ＰＤＵに処理し、最下層に前記ＳＤＡＰ  ＰＤＵを送信するため、最下層エンティティが前記データパケットを処理し続けることがわかる。これは、端末側ＳＤＡＰ層データ処理のリアルタイム性能を改善するのに有益である。
【図面の簡単な説明】
【００１１】
以下は、実施例または先行技術の説明で使用する必要がある図面を簡単に紹介する。
【図１】本出願の実施例によって提供される可能な通信システムのネットワークアーキテクチャ図である。
【図２Ａ】本出願の実施例によって提供されるデータ伝送制御方法のプロセス模式図である。
【図２Ｂ】本出願の実施例によって提供されるＳＤＡＰ  ｈｅａｄｅｒの構造例示図である。
【図２Ｃ】本出願の実施例によって提供される別のＳＤＡＰ  ｈｅａｄｅｒの構造例示図である。
【図２Ｄ】本出願の実施例によって提供される別のＳＤＡＰ  ｈｅａｄｅｒの構造例示図である。
【図２Ｅ】本出願の実施例によって提供される別のＳＤＡＰ  ｈｅａｄｅｒの構造例示図である。
【図３】本出願の実施例によって提供されるデータ伝送制御方法のプロセス模式図である。
【図４】本出願の実施例によって提供されるデータ伝送制御方法のプロセス模式図である。
【図５】本出願の実施例によって提供される端末の構造模式図である。
【図６】本出願の実施例によって提供される端末の構造模式図である。
【発明を実施するための形態】
【００１２】
以下、本出願の実施例における技術的解決策に対して図面を参照して説明する。
【００１３】
例示的に、図１は、本出願に関する無線通信システムを示す。前記無線通信システム１００は、高周波帯域で動作することができ、ロングタームエボリューション（ＬＴＥ：Ｌｏｎｇ  Ｔｅｒｍ  Ｅｖｏｌｕｔｉｏｎ）システムに限定されず、将来進化した第５世代モバイル通信（５Ｇ：ｔｈｅ  ５ｔｈ  Ｇｅｎｅｒａｔｉｏｎ）システム、ニューラジオ（ＮＲ）システム、マシンツーマシン通信（Ｍ２Ｍ：Ｍａｃｈｉｎｅ  ｔｏ  Ｍａｃｈｉｎｅ）システムなどであり得る。前記無線通信システム１００は、１つまたは複数のネットワーク装置１０１、１つまたは複数の端末１０３、およびコアネットワーク装置１０５をさらに含む。ここで、ネットワーク装置１０１は、基地局であってもよく、基地局は、１つまたは複数の端末と通信するために使用されてもよく、部分的な端末機能を有する１つまたは複数の基地局（マクロ基地局とマイクロ基地局など）と通信するために使用されてもよい。基地局は、時分割同期符号分割多元接続（ＴＤ−ＳＣＤＭＡ：Ｔｉｍｅ  Ｄｉｖｉｓｉｏｎ  Ｓｙｎｃｈｒｏｎｏｕｓ  Ｃｏｄｅ  Ｄｉｖｉｓｉｏｎ  Ｍｕｌｔｉｐｌｅ  Ａｃｃｅｓｓ）システムの基地局トランシーバーステーション（ＢＴＳ：Ｂａｓｅ  Ｔｒａｎｓｃｅｉｖｅｒ  Ｓｔａｔｉｏｎ）であってもよく、ＬＴＥシステムの進化した基地局（ｅＮＢ：Ｅｖｏｌｕｔｉｏｎａｌ  Ｎｏｄｅ  Ｂ）、および５Ｇシステム、ニューラジオ（ＮＲ）システムの基地局であってもよい。一方、基地局は、アクセスポイント（ＡＰ：Ａｃｃｅｓｓ  Ｐｏｉｎｔ）、伝送ノード（Ｔｒａｎｓ  ＴＲＰ）、中央ユニット（ＣＵ：Ｃｅｎｔｒａｌ  Ｕｎｉｔ）または他のネットワークエンティティであってもよく、上記のネットワークエンティティの機能中の一部またはすべての機能を含むことができる。コアネットワーク装置１０５は、アクセスおよびモビリティ管理機能（ＡＭＦ：Ａｃｃｅｓｓ  ａｎｄ  Ｍｏｂｉｌｉｔｙ  Ｍａｎａｇｅｍｅｎｔ  Ｆｕｎｃｔｉｏｎ）エンティティ、ユーザープレーン機能（ＵＰＦ：Ｕｓｅｒ  Ｐｌａｎｅ  Ｆｕｎｃｔｉｏｎ）エンティティおよびセッション管理機能（ＳＭＦ：Ｓｅｓｓｉｏｎ  Ｍａｎａｇｅｍｅｎｔ  Ｆｕｎｃｔｉｏｎ）などコアネットワーク側のデバイスを含む。端末１０３は、無線通信システム１００全体に分散されてもよく、固定式または移動式であってもよい。
【００１４】
本出願のいくつかの実施例において、端末１０３は、モバイルデバイス（スマートフォン）、モバイルステーション（ｍｏｂｉｌｅ  ｓｔａｔｉｏｎ）、モバイルユニット（ｍｏｂｉｌｅ  ｕｎｉｔ）、Ｍ２Ｍ端末、ワイヤレスユニット、リモートユニット、ユーザーエージェント、モバイルクライアントなどであり得る。
【００１５】
図１に示される無線通信システム１００は、本出願の技術的解決策をより明確に説明するためだけであり、本出願に対して制限を構成するものではないことに留意すべきである。当業者は、ネットワークアーキテクチャの進化および新しいサービスシナリオの出現につれて、本出願によって提供される技術的解決策は、類似した技術的問題にも同様に適用可能であることが分かることができる。
【００１６】
以下、本出願に関する関連技術について説明する。
【００１７】
現在、第５世代モバイル通信技術（５Ｇ：５ｔｈ−Ｇｅｎｅｒａｔｉｏｎ）およびニューラジオ（ＮＲ：Ｎｅｗ  Ｒａｄｉｏ）システムでは、ユーザープレーンプロトコルスタックの新しく導入されたＳＤＡＰ層のＰＤＵ  セッション（Ｓｅｓｓｉｏｎ）ごとに１つのＳＤＡＰエンティティに対応し、その主な目的としては、上位層からのＱｏＳ  ｆｌｏｗ内のデータをＤＲＢにマッピングし、およびアップリンクとダウンリンクデータパケットでＱｏＳフロー識別（ＱＦＩ：ＱｏＳ  ｆｌｏｗ  ＩＤ）を識別することである。ＱＦＩは、ＱｏＳ  ｆｌｏｗ  ＩＤの略であり、主に、ＱｏＳ  ｆｌｏｗを示すＩＤである。ＲＱＩは、ｒｅｆｌｅｃｔｉｖｅ  ＱｏＳ  ｉｎｄｉｃａｔｏｒの略であり、端末のアップリンクパケットの伝送がダウンリンクパケットのマッピング関係にしたがって、データパケットＩＰのＱｏＳ  ｆｌｏｗ（非アクセス層（ＮＡＳ  ｌａｙｅｒ））へのマッピングおよびＱｏＳ  ｆｌｏｗのＤＲＢ（アクセス層（ＡＳ  ｌａｙｅｒ））へのマッピングを行う必要があることを示す。
【００１８】
現在の結論は、アクセス層（ＡＳ）および非アクセス層（ＮＡＳ）のサビース品質マッピング（ｒｅｆｌｅｃｔｉｖｅ  ＱｏＳ）に対しては独立してサポートされることであり、即ち、ダウンリンクの場合、ＳＤＡＰ層プロトコルデータユニット（ＰＤＵ）は、少なくとも１ビットのＲＱＩを搬送する必要がある。ただし、アップリンクの場合、ＳＤＡＰ  ＰＤＵはＲＱＩを搬送する必要がない。現在は、ＳＤＡＰ  ＰＤＵに対するアップリンク伝送制御方案がまだ有しない。
【００１９】
上記の問題について、本出願の実施例は、以下の実施例を提案し、以下は図面を参照して詳細に説明する。
【００２０】
図２Ａを参照すれば、図２Ａは、本出願の実施例によって提供されるデータ伝送制御方法であり、前記通信システム例の端末に適用され、前記端末は、サビースデータ適応プロトコル（ＳＤＡＰ）層エンティティを含み、前記データ伝送制御方法は、次のステップを含む。
【００２１】
２０１部分において、前記端末の前記ＳＤＡＰ層エンティティが、応用層からのＳＤＡＰサビースデータユニット（ＳＤＵ）を受信する。
【００２２】
ここで、前記応用層は、端末の応用層を指し、前記ＳＤＡＰ  ＳＤＵのデータソースは、端末によって検出されたユーザ入力データや、収集された環境データなど、端末の応用層によって取得された様々なデータであり得、ここでは唯一として制限しない。
【００２３】
２０２部分において、前記端末の前記ＳＤＡＰ層エンティティが、前記ＳＤＡＰ  ＳＤＵを処理して、ＳＤＡＰプロトコルデータユニット（ＰＤＵ）を取得する。
【００２４】
２０３部分において、前記端末の前記ＳＤＡＰ層エンティティが、下位層エンティティに前記ＳＤＡＰ  ＰＤＵを送信する。
【００２５】
本出願の実施例において、端末のＳＤＡＰエンティティは、応用層からのＳＤＡＰサビースデータユニット（ＳＤＵ）を受信し、次に、ＳＤＡＰエンティティ処理ＳＤＡＰ  ＳＤＵは、ＳＤＡＰプロトコルデータユニット（ＰＤＵ）を取得し、最後に、ＳＤＡＰエンティティは下位層エンティティにＳＤＡＰ  ＰＤＵを送信することが分かる。端末のＳＤＡＰ層エンティティは、受信されたＳＤＡＰ  ＳＤＵをリアルタイムでＳＤＡＰ  ＰＤＵに処理し、最下層に前記ＳＤＡＰ  ＰＤＵを送信するため、最下層エンティティが前記データパケットを処理し続けることがわかる。これは、端末側ＳＤＡＰ層データ処理のリアルタイム性能を改善するのに有益である。
【００２６】
１つの可能な例示において、前記ＳＤＡＰ層エンティティが、前記ＳＤＡＰ  ＳＤＵを処理して、ＳＤＡＰプロトコルデータユニット（ＰＤＵ）を取得することは、
前記ＳＤＡＰ層エンティティが、ＲＲＣ層エンティティによって構成されたプリセットフォーマットにしたがって前記ＳＤＡＰ  ＳＤＵを処理してＳＤＡＰ  ＰＤＵを取得することを含む。
【００２７】
ここで、前記プリセットフォーマットは、ＳＤＡＰヘッダ（ｈｅａｄｅｒ）＋ＳＤＡＰペイロード（ｐａｙｌｏａｄ）であることができ、即ち、ＳＤＡＰ  ＳＤＵが生成したＳＤＡＰ  ＰＤＵの参照フォーマットは、ヘッダ（ｈｅａｄｅｒ）を加えてもよく、前記ＳＤＡＰ  ｈｅａｄｅｒの具体的なフォーマットは、事前に約束してもよくて、ここではこれに限定されない。
【００２８】
本例示では、無線リソース制御（ＲＲＣ：Ｒａｄｉｏ  Ｒｅｓｏｕｒｃｅ  Ｃｏｎｔｒｏｌ）層エンティティがＳＤＡＰ  ＳＤＵを処理するためのプリセットフォーマットを事前に構成したため、ＳＤＡＰ層エンティティが応用層からのＳＤＡＰ  ＳＤＵを受信するときに、ＳＤＡＰ  ＳＤＵをＳＤＡＰ  ＰＤＵにリアルタイムで処理することができ、データ処理の遅延を避け、データ処理効率と一貫性を改善することが分かる。
【００２９】
１つの可能な例示において、前記ＳＤＡＰ  ＰＤＵは、ＳＤＡＰヘッダ（ｈｅａｄｅｒ）およびＳＤＡＰペイロード（ｐａｙｌｏａｄ）を含み、前記ＳＤＡＰ  ｈｅａｄｅｒのビット長は８ビットであり、前記ＳＤＡＰ  ｈｅａｄｅｒは、予約済みＲ情報およびサビース品質フロー識別（ＱＦＩ）を含み、
前記Ｒ情報は、前記ＳＤＡＰ  ｈｅａｄｅｒの最上位ビットを占め、前記ＱＦＩのビット長は７ビットであり、または、
前記Ｒ情報は、前記ＳＤＡＰ  ｈｅａｄｅｒの最上位ビットおよび２番目の最上位ビットを占め、前記ＱＦＩのビット長は６ビットである。
【００３０】
ここで、前記ＳＤＡＰ  ｐａｙｌｏａｄは、端末のＱｏＳフローデータ（即ち、インターネットプロトコルＩＰデータパケット）を含むことができる。
【００３１】
例えば、図２Ｂに示されるように、前記ＳＤＡＰ  ｈｅａｄｅｒのビット長は８ビットであり、前記ＳＤＡＰ  ｈｅａｄｅｒは１ビットのＲ情報と７ビットのＱＦＩを含み、且つ前記Ｒ情報は、前記ＳＤＡＰ  ｈｅａｄｅｒの最上位ビットを占める。
【００３２】
さらに、例えば、図２Ｃに示されるように、前記ＳＤＡＰ  ｈｅａｄｅｒのビット長は８ビットであり、前記ＳＤＡＰ  ｈｅａｄｅｒは２ビットのＲ情報と６ビットのＱＦＩを含み、且つ前記Ｒ情報は、前記ＳＤＡＰ  ｈｅａｄｅｒの最上位ビットおよび２番目の最上位ビットを占める。
【００３３】
本例示において、ＱＦＩが現在のＱｏＳフローとデータ無線ベアラの間の対応関係を正確に指示することができるため、６ビット以上のＱＦＩを使用する場合、少なくとも６４種類を指示することができ、ＳＤＡＰ  ＰＤＵのＳＤＡＰ  ｈｅａｄｅｒの指示効率を改善し、ビット消費を節約し、利用率を向上させることが分かる。
【００３４】
１つの可能な例示において、前記ＳＤＡＰ  ＰＤＵは、ＳＤＡＰヘッダ（ｈｅａｄｅｒ）およびＳＤＡＰペイロード（ｐａｙｌｏａｄ）を含み、前記ＳＤＡＰ  ｈｅａｄｅｒのビット長は８ビットであり、前記ＳＤＡＰ  ｈｅａｄｅｒは、ＱＦＩのビット長を指示するためのビット長インジケータおよびサビース品質フロー識別（ＱＦＩ）を含む。
【００３５】
１つの可能な例示において、前記ビット長インジケータによって指示される前記ＱＦＩのビット長は６ビットまたは７ビットである。
【００３６】
ここで、前記ＳＤＡＰ  ｐａｙｌｏａｄは端末のＱｏＳフローデータを含むことができる。
【００３７】
例えば、図２Ｄに示されるように、前記ＳＤＡＰ  ｈｅａｄｅｒのビット長は８ビットであり、前記ＳＤＡＰ  ｈｅａｄｅｒは、１ビットのビット長インジケータおよび７ビットのサビース品質フロー識別（ＱＦＩ）を含み、前記１ビットのビット長インジケータの具体的な値は０（または１）であることができ、ここで、ビット長インジケータは前記ＳＤＡＰ  ｈｅａｄｅｒの最上位ビットを占める。
【００３８】
さらに、例えば、図２Ｅに示されるように、前記ＳＤＡＰ  ｈｅａｄｅｒのビット長は８ビットであり、前記ＳＤＡＰ  ｈｅａｄｅｒは、１ビットのビット長インジケータ、１ビットのＲ情報および６ビットのサビース品質フロー識別（ＱＦＩ）を含み、前記１ビットのビット長インジケータの具体的な値は、１（または０）であることができ、ここで、前記ビット長インジケータは、前記ＳＤＡＰ  ｈｅａｄｅｒの最上位ビットを占め、前記Ｒ情報は、ＳＤＡＰ  ｈｅａｄｅｒの２番目の最上位ビットを占める。
【００３９】
本例示において、ビット長インジケータが現在のＳＤＡＰ  ｈｅｄｅｒにおけるＱＦＩのビット長を正確に指示することができるため、端末のローカルスキャンと検出をする必要がなく、処理時間を節約し、ＱＦＩのビット長の指示効率を向上させ、ＳＤＡＰ層エンティティのデータ処理のリアルタイム性能を向上させることが分かる。
【００４０】
具体的な実現において、各端末に対して、ＮＲシステムのコアネットワーク装置（５ＧＣとも呼ばれる）は１つまたは複数のプロトコルデータユニットセッション（ＰＤＵ  ｓｅｓｓｉｏｎ）を確立し、ラジオで、各ＰＤＵ  ｓｅｓｓｉｏｎは、ＰＤＵ  ｓｅｓｓｉｏｎのデータを運ぶための、１つまたは複数のＤＲＢに対応し、ＰＤＵ  ｓｅｓｓｉｏｎでは、ＱｏＳの最小粒度は異なるＱｏＳ  ｆｌｏｗに区別され、１つのＰＤＵ  ｓｅｓｓｉｏｎは、複数のＱｏＳ  ｆｌｏｗを有することができ、異なるＱｏＳ  ｆｌｏｗは、異なるＱＦＩによってマークされる。
【００４１】
なお、１つのＰＤＵ  ｓｅｓｓｉｏｎでは、同じＱｏＳ  ｆｌｏｗ内のデータは、スケジューリングなどの同じＱｏＳによって処理される。ＱＦＩが５ＧＣからアクセスネットワーク装置（ＲＡＮとも呼ばれる）への場合、Ｎ３インターフェースで各データパケットを識別し、このＱＦＩが７ｂｉｔである。ＱＦＩが１つのＰＤＵ  ｓｅｓｓｉｏｎでは唯一である。Ｎ３インターフェースのＱＦＩは動的に割り当てられるか、または暗黙的に５ＱＩに等しい。５ＱＩと５Ｇ  ＱｏＳ特徴の間には１対１のマッピングがあり、５ＱＩの最大値は７９であるため、コアネットワーク側によって端末に割り当てられたＱＦＩのビット長は少なくとも７ｂｉｔである。
【００４２】
アクセスネットワーク側では、ＳＤＡＰ層エンティティは、各ＳＤＡＰ  ＰＤＵにＱＦＩ（構成されていると、前記ＱＦＩが本明細書で紹介する端末側で処理されるＳＤＡＰ  ＰＤＵのＱＦＩである）をマークし、前記ＱＦＩは、ＱｏＳ  ｆｌｏｗからＤＲＢへのマッピング関係をマークするためである。ダウンリンクに対しては、ＳＤＡＰ  ｈｅａｄｅｒでＲＱＩを搬送するため、ＱＦＩは６ｂｉｔのみで表すことができるが、アップリンクに対しては、端末は、ＲＱＩを搬送する必要がないため、端末側で処理するＳＤＡＰ  ＰＤＵのＱＦＩのビット長は、６ビットまたは７ビットであり得る。以下、上記の２つのケースを説明する。
【００４３】
１つの可能な例示において、前記ＱＦＩのビット長は６ビットであり、前記ＱＦＩは前記端末用のコアネットワーク装置によって構成された参照ＱＦＩに対応し、前記参照ＱＦＩのビット長は７ビットであり、且つ前記参照ＱＦＩによって指示される５Ｇ  ＱｏＳの特徴と５Ｇサビース品質スケール値５ＱＩの間には１対１の対応関係があり、且つ前記ＳＤＡＰ  ｈｅａｄｅｒには１ビット予約済みＲ情報がある。
【００４４】
ここで、前記５ＱＩは５Ｇ  ＱｏＳ  Ｉｄｅｎｔｉｆｉｅｒを指し、ＬＴＥのスケール値ＱＣＩに類似し、各端末に対して、５ＧＣは１つまたは複数のＰＤＵ  ｓｅｓｓｉｏｎを確立し、ラジオで、各ＰＤＵ  ｓｅｓｓｉｏｎは、そのデータを運ぶための、１つまたは複数のＤＲＢに対応する。ＰＤＵ  ｓｅｓｓｉｏｎでは、ＱｏＳの最小粒度は異なるＱｏＳ  ｆｌｏｗに区別され、１つのＰＤＵ  ｓｅｓｓｉｏｎは、複数のＱｏＳ  ｆｌｏｗを有することができ、各ＱｏＳ  ｆｌｏｗはすべて対応するサービスタイプ、即ち、ＱｏＳレベル５ＱＩを有する。
【００４５】
本例示において、端末側によって処理されるＳＤＡＰ  ＰＤＵのＱＦＩのビット長は６ビットである場合について、参照ＱＦＩを介して５ＱＩに正確にマッピングすることができるため、６ビットのＱＦＩがすべての５ＱＩを指示することができないことによるＱｏＳレベルの不完全な指示を回避することができ、現在のＱＦＩに対応する５ＱＩをより安定に且つ正確に指示することに役立つことが分かる。
【００４６】
１つの可能な例示において、前記ＱＦＩのビット長は７ビットであり、前記ＱＦＩは５Ｇサビース品質スケール値５ＱＩと等しい。
【００４７】
本例示において、端末側によって処理されるＳＤＡＰ  ＰＤＵのＱＦＩのビット長は７ビットである場合について、７ビットのＱＦＩがすべてのＱｏＳレベルを直接に指示することができるため、参照ＱＦＩ間接マッピングを関連付ける必要がなく、ＱｏＳレベルを指示する利便性の向上に役立つことが分かる。
【００４８】
図２Ａに示す実施例と一致して、図３を参照すれば、図３は、本出願の実施例によって提供される別のデータ伝送制御方法であり、前記通信システム例の端末に適用され、前記端末は、サビースデータ適応プロトコル（ＳＤＡＰ）層エンティティを含み、前記データ伝送制御方法は、次のステップを含む。
【００４９】
３０１部分において、前記端末の前記ＳＤＡＰ層エンティティが、応用層からのＳＤＡＰサビースデータユニット（ＳＤＵ）を受信する。
【００５０】
３０２部分において、前記端末の前記ＳＤＡＰ層エンティティが、ＲＲＣ層エンティティによって構成されたプリセットフォーマットにしたがって前記ＳＤＡＰ  ＳＤＵを処理してＳＤＡＰ  ＰＤＵを取得する。
【００５１】
３０３部分において、前記端末の前記ＳＤＡＰ層エンティティが、下位層エンティティに前記ＳＤＡＰ  ＰＤＵを送信する。
【００５２】
本出願の実施例では、端末のＳＤＡＰエンティティは、応用層からのＳＤＡＰサビースデータユニット（ＳＤＵ）を受信し、次に、ＳＤＡＰエンティティ処理ＳＤＡＰ  ＳＤＵは、ＳＤＡＰプロトコルデータユニット（ＰＤＵ）を取得し、最後に、ＳＤＡＰエンティティは下位層エンティティにＳＤＡＰ  ＰＤＵを送信することが分かる。端末のＳＤＡＰ層エンティティは、受信されたＳＤＡＰ  ＳＤＵをリアルタイムでＳＤＡＰ  ＰＤＵに処理し、最下層に前記ＳＤＡＰ  ＰＤＵを送信するため、最下層エンティティが前記データパケットを処理し続けることが分かる。これは、端末側ＳＤＡＰ層データ処理のリアルタイム性能を改善するのに有益である。
【００５３】
なお、ＲＲＣ層エンティティがＳＤＡＰ  ＳＤＵを処理するためのプリセットフォーマットを事前に構成したため、ＳＤＡＰ層エンティティが応用層からのＳＤＡＰ  ＳＤＵを受信するときに、ＳＤＡＰ  ＳＤＵをＳＤＡＰ  ＰＤＵにリアルタイムで処理することができ、データ処理の遅延を避け、データ処理効率と一貫性を改善する。
【００５４】
図２Ａおよび図３の実施例と一致して、図４を参照すれば、図４は、本出願の実施例によって提供されるデータ伝送制御方法であり、前記通信システム例の端末に適用され、前記端末は、サビースデータ適応プロトコル（ＳＤＡＰ）層エンティティを含み、前記データ伝送制御方法は、次のステップを含む。
【００５５】
４０１部分において、前記端末は、前記ＳＤＡＰ層エンティティが応用層からのＳＤＡＰサビースデータユニット（ＳＤＵ）を受信することを制御する。
【００５６】
４０２部分において、前記端末は、前記ＳＤＡＰ層エンティティがＲＲＣ層エンティティによって構成されたプリセットフォーマットにしたがって前記ＳＤＡＰ  ＳＤＵを処理してＳＤＡＰ  ＰＤＵを取得するように制御することであって、前記ＳＤＡＰ  ＰＤＵは、ＳＤＡＰヘッダ（ｈｅａｄｅｒ）およびＳＤＡＰペイロード（ｐａｙｌｏａｄ）を含み、前記ＳＤＡＰ  ｈｅａｄｅｒのビット長は８ビットであり、前記ＳＤＡＰ  ｈｅａｄｅｒは、ＱＦＩのビット長を指示するためのビット長インジケータおよびサビース品質フロー識別（ＱＦＩ）を含む。
【００５７】
４０３部分において、前記端末は、前記ＳＤＡＰ層エンティティが下位層エンティティに前記ＳＤＡＰ  ＰＤＵを送信することを制御する。
【００５８】
本出願の実施例では、端末のＳＤＡＰエンティティは、応用層からのＳＤＡＰサビースデータユニット（ＳＤＵ）を受信し、次に、ＳＤＡＰエンティティ処理ＳＤＡＰ  ＳＤＵは、ＳＤＡＰプロトコルデータユニット（ＰＤＵ）を取得し、最後に、ＳＤＡＰエンティティは下位層エンティティにＳＤＡＰ  ＰＤＵを送信することが分かる。端末のＳＤＡＰ層エンティティは、受信されたＳＤＡＰ  ＳＤＵをリアルタイムでＳＤＡＰ  ＰＤＵに処理し、最下層に前記ＳＤＡＰ  ＰＤＵを送信するため、最下層エンティティが前記データパケットを処理し続けることが分かる。これは、端末側ＳＤＡＰ層データ処理のリアルタイム性能を改善するのに有益である。
【００５９】
なお、ＲＲＣ層エンティティがＳＤＡＰ  ＳＤＵを処理するためのプリセットフォーマットを事前に構成したため、ＳＤＡＰ層エンティティは応用層からのＳＤＡＰ  ＳＤＵを受信するときに、ＳＤＡＰ  ＳＤＵをＳＤＡＰ  ＰＤＵにリアルタイムで処理することができ、データ処理の遅延を避け、データ処理効率と一貫性を改善する。
【００６０】
なお、ビット長インジケータが現在のＳＤＡＰ  ｈｅｄｅｒにおけるＱＦＩのビット長を正確に指示することができるため、端末のローカルスキャンと検出をする必要がなく、処理時間を節約し、ＱＦＩのビット長の指示効率を向上させ、ＳＤＡＰ層エンティティのデータ処理のリアルタイム性能を向上させる。
【００６１】
前記実施例と一致して、図５を参照すれば、図５は、本出願の実施例によって提供される端末の構造模式図であり、図に示されるように、前記端末は、プロセッサ、メモリ、通信インターフェースおよび１つまたは複数のプログラムを含む。ここで、前記１つまたは複数のプログラムは前記メモリに記憶され、前記プロセッサによって実行されるように構成され、前記プログラムは、
前記ＳＤＡＰ層エンティティが応用層からのＳＤＡＰサビースデータユニット（ＳＤＵ）を受信することを制御し、
前記ＳＤＡＰ層エンティティが前記ＳＤＡＰ  ＳＤＵを処理して、ＳＤＡＰプロトコルデータユニット（ＰＤＵ）を取得することを制御し、
前記ＳＤＡＰ層エンティティが下位層エンティティに前記ＳＤＡＰ  ＰＤＵを送信することのようなステップを実行するための命令を含む。
【００６２】
本出願の実施例では、端末のＳＤＡＰエンティティは、応用層からのＳＤＡＰサビースデータユニット（ＳＤＵ）を受信し、次に、ＳＤＡＰエンティティ処理ＳＤＡＰ  ＳＤＵは、ＳＤＡＰプロトコルデータユニット（ＰＤＵ）を取得し、最後に、ＳＤＡＰエンティティは下位層エンティティにＳＤＡＰ  ＰＤＵを送信することが分かる。端末のＳＤＡＰ層エンティティは、受信されたＳＤＡＰ  ＳＤＵをリアルタイムでＳＤＡＰ  ＰＤＵに処理し、最下層に前記ＳＤＡＰ  ＰＤＵを送信するため、最下層エンティティが前記データパケットを処理し続けることが分かる。これは、端末側ＳＤＡＰ層データ処理のリアルタイム性能を改善するのに有益である。
【００６３】
１つの可能な例示において、前記ＳＤＡＰ層エンティティが前記ＳＤＡＰ  ＳＤＵを処理して、ＳＤＡＰプロトコルデータユニット（ＰＤＵ）を取得することを制御する態様において、前記プログラムにおける命令は、具体的に、前記ＳＤＡＰ層エンティティがＲＲＣ層エンティティによって構成されたプリセットフォーマットにしたがって前記ＳＤＡＰ  ＳＤＵを処理してＳＤＡＰ  ＰＤＵを取得するように制御する操作を実行するためである。
【００６４】
１つの可能な例示において、前記ＳＤＡＰ  ＰＤＵは、ＳＤＡＰヘッダ（ｈｅａｄｅｒ）およびＳＤＡＰペイロード（ｐａｙｌｏａｄ）を含み、前記ＳＤＡＰ  ｈｅａｄｅｒのビット長は８ビットであり、前記ＳＤＡＰ  ｈｅａｄｅｒは、予約済みＲ情報およびサビース品質フロー識別（ＱＦＩ）を含み、
前記Ｒ情報は、前記ＳＤＡＰ  ｈｅａｄｅｒの最上位ビットを占め、前記ＱＦＩのビット長は７ビットであり、または、
前記Ｒ情報は、前記ＳＤＡＰ  ｈｅａｄｅｒの最上位ビットおよび２番目の最上位ビットを占め、前記ＱＦＩのビット長は６ビットである。
【００６５】
１つの可能な例示において、前記ＳＤＡＰ  ＰＤＵは、ＳＤＡＰヘッダ（ｈｅａｄｅｒ）およびＳＤＡＰペイロード（ｐａｙｌｏａｄ）を含み、前記ＳＤＡＰ  ｈｅａｄｅｒのビット長は８ビットであり、前記ＳＤＡＰ  ｈｅａｄｅｒは、ＱＦＩのビット長を指示するためのビット長インジケータおよびサビース品質フロー識別（ＱＦＩ）を含む。
【００６６】
１つの可能な例示において、前記ビット長インジケータによって指示される前記ＱＦＩのビット長は６ビットまたは７ビットである。
【００６７】
１つの可能な例示において、前記ＱＦＩのビット長は６ビットであり、前記ＱＦＩは前記端末用のコアネットワーク装置によって構成された参照ＱＦＩに対応し、前記参照ＱＦＩのビット長は７ビットであり、且つ前記参照ＱＦＩによって指示される５Ｇ  ＱｏＳの特徴と５Ｇサビース品質スケール値５ＱＩの間には１対１の対応関係があり、且つ前記ＳＤＡＰ  ｈｅａｄｅｒには１ビット予約済みＲ情報がある。
【００６８】
１つの可能な例示において、前記ＱＦＩのビット長は７ビットであり、前記ＱＦＩは５Ｇサビース品質スケール値５ＱＩと等しい。
【００６９】
上記は、主に各ネットワーク要素間の相互作用の観点から、本出願の実施例の技術案を紹介する。前記機能を実現するために、端末およびネットワーク装置は、各機能を実行することに対応するハードウェア構造および／またはソフトウェアモジュールを含むことを理解すべきである。当業者は、本明細書に開示される実施例で説明された各例示のユニットおよびアルゴリズムステップを組み合わせることにより、本出願は、ハードウェアまたはハードウェアとコンピュータソフトウェアの組み合わせの形態で実現されることができることを理解するであろう。特定の機能がハードウェアで実行されるかコンピュータソフトウェアがハードウェアを駆動することにより実行されるかは、専門技術者は、各特定の応用に対して異なる方法を使用して説明された機能を実現することができるが、このような実現は本出願の範囲を超えると見なされるべきではない。
【００７０】
本出願の実施例において、前記データ伝送制御方法の例示にしたがって端末およびネットワーク装置に対して機能ユニットの分割を行うことができ、例えば、各機能に対応して各機能ユニットを分割してもよく、２つまたは２つ以上の機能を１つの処理ユニットに統合してもよい。前記統合ユニットは、ハードウェアの形態で実装されてもよく、ソフトウェアプログラムモジュールの形態で実装されてもよい。本出願の実施例におけるユニットの分割は例示的であり、単なる論理的な機能分割に過ぎないことに留意すべきであるが、実際に実装では、別の分割方法があり得る。
【００７１】
統合ユニットを使用する場合、図６は、前記実施例に関する端末の可能な機能ユニットの構成ブロック図を示す。端末６００は、処理ユニット６０２および通信ユニット６０３を含む。処理ユニット６０２は、端末の動作を制御および管理するためであり、例えば、処理ユニット６０２は、端末が図２Ａ中のステップ２０１ないし２０３、図３中のステップ３０１ないし３０３、図４中のステップ４０１ないし４０３および／または本明細書に記載の技術の他のプロセスを実行するようにサポートするように構成される。通信ユニット６０３は、端末と他のデバイスとの通信、例えば、図５に示されるネットワーク装置との通信をサポートするように構成される。端末は、端末のプログラムコードおよびデータを記憶するための記憶ユニット６０１をさらに含む。
【００７２】
ここで、処理ユニット６０２は、プロセッサまたはコントローラであることができ、例えば、中央処理装置（ＣＰＵ：Ｃｅｎｔｒａｌ  Ｐｒｏｃｅｓｓｉｎｇ  Ｕｎｉｔ）、汎用プロセッサ、デジタル信号プロセッサ（ＤＳＰ：Ｄｉｇｉｔａｌ  Ｓｉｇｎａｌ  Ｐｒｏｃｅｓｓｏｒ）、特定用途向け集積回路（ＡＳＩＣ：Ａｐｐｌｉｃａｔｉｏｎ−Ｓｐｅｃｉｆｉｃ  Ｉｎｔｅｇｒａｔｅｄ  Ｃｉｒｃｕｉｔ）、フィールドプログラマブルゲートアレイ（ＦＰＧＡ：Ｆｉｅｌｄ  Ｐｒｏｇｒａｍｍａｂｌｅ  Ｇａｔｅ  Ａｒｒａｙ）または他のプログラマブルロジックデバイス、トランジスタロジックデバイス、ハードウェア部品またはその任意の組み合わせであることができる。本出願の開示内容に合わせて記載した様々な例示的な論理ブロック、モジュールおよび回路を実現または実行してもよい。前記プロセッサはコンピューティング機能を実現する組み合わせであってもよく、例えば、１つまたは複数のマイクロプロセッサを含む組み合わせ、ＤＳＰとマイクロプロセッサの組み合わせなどでもよい。通信ユニット６０３はトランシーバ、トランシーバ回路などであり、記憶ユニット６０１はメモリであり得る。
【００７３】
ここで、前記処理ユニット６０２は、前記ＳＤＡＰ層エンティティが前記通信ユニット６０３を介して応用層からのＳＤＡＰサビースデータユニット（ＳＤＵ）を受信することを制御し、および前記ＳＤＡＰ層エンティティが、前記ＳＤＡＰ  ＳＤＵを処理して、ＳＤＡＰプロトコルデータユニット（ＰＤＵ）を取得することを制御し、および前記ＳＤＡＰ層エンティティが前記通信ユニット６０３を介して下位層エンティティに前記ＳＤＡＰ  ＰＤＵを送信することを制御するためである。
【００７４】
本出願の実施例において、端末のＳＤＡＰエンティティは、応用層からのＳＤＡＰサビースデータユニット（ＳＤＵ）を受信し、次に、ＳＤＡＰエンティティ処理ＳＤＡＰ  ＳＤＵは、ＳＤＡＰプロトコルデータユニット（ＰＤＵ）を取得し、最後に、ＳＤＡＰエンティティは下位層エンティティにＳＤＡＰ  ＰＤＵを送信することが分かる。端末のＳＤＡＰ層エンティティは、受信されたＳＤＡＰ  ＳＤＵをリアルタイムでＳＤＡＰ  ＰＤＵに処理し、最下層に前記ＳＤＡＰ  ＰＤＵを送信するため、最下層エンティティが前記データパケットを処理し続けることが分かる。これは、端末側ＳＤＡＰ層データ処理のリアルタイム性能を改善するのに有益である。
【００７５】
１つの可能な例示において、前記ＳＤＡＰエンティティを制御して、前記ＳＤＡＰ  ＳＤＵを処理してＳＤＡＰプロトコルデータユニット（ＰＤＵ）を取得する態様において、前記処理ユニット６０２は、具体的に、前記ＳＤＡＰ層エンティティが、ＲＲＣ層エンティティによって構成されたプリセットフォーマットにしたがって前記ＳＤＡＰ  ＳＤＵを処理してＳＤＡＰ  ＰＤＵを取得するように制御するためである。
【００７６】
１つの可能な例示において、前記ＳＤＡＰ  ＰＤＵは、ＳＤＡＰ  ヘッダ（ｈｅａｄｅｒ）およびＳＤＡＰ  ペイロード（ｐａｙｌｏａｄ）を含み、前記ＳＤＡＰ  ｈｅａｄｅｒのビット長は８ビットであり、前記ＳＤＡＰ  ｈｅａｄｅｒは、予約済みＲ情報およびサビース品質フロー識別（ＱＦＩ）を含み、
前記Ｒ情報は、前記ＳＤＡＰ  ｈｅａｄｅｒの最上位ビットを占め、前記ＱＦＩのビット長は７ビットであり、または、
前記Ｒ情報は、前記ＳＤＡＰ  ｈｅａｄｅｒの最上位ビットおよび２番目の最上位ビットを占め、前記ＱＦＩのビット長は６ビットである。
【００７７】
１つの可能な例示において、前記ＳＤＡＰ  ＰＤＵは、ＳＤＡＰ  ヘッダ（ｈｅａｄｅｒ）およびＳＤＡＰ  ペイロード（ｐａｙｌｏａｄ）を含み、前記ＳＤＡＰ  ｈｅａｄｅｒのビット長は８ビットであり、前記ＳＤＡＰ  ｈｅａｄｅｒは、ＱＦＩのビット長を指示するためのビット長インジケータおよびサビース品質フロー識別（ＱＦＩ）を含む。
【００７８】
１つの可能な例示において、前記ビット長インジケータによって指示される前記ＱＦＩのビット長は６ビットまたは７ビットである。
【００７９】
１つの可能な例示において、前記ＱＦＩのビット長は６ビットであり、前記ＱＦＩは前記端末用のコアネットワーク装置によって構成された参照ＱＦＩに対応し、前記参照ＱＦＩのビット長は７ビットであり、且つ前記参照ＱＦＩによって指示される５Ｇ  ＱｏＳの特徴と５Ｇサビース品質スケール値５ＱＩの間には１対１の対応関係があり、且つ前記ＳＤＡＰ  ｈｅａｄｅｒには１ビット予約済みＲ情報がある。
【００８０】
１つの可能な例示において、前記ＱＦＩのビット長は７ビットであり、前記ＱＦＩは５Ｇサビース品質スケール値５ＱＩと等しい。
【００８１】
処理ユニット６０２がプロセッサであり、通信ユニット６０３が通信インターフェースであり、記憶ユニット６０１がメモリである場合、本出願の実施例に関する端末は、図６に示される端末であり得る。
【００８２】
本出願の実施例は、コンピュータ読み取り可能な記憶媒体をさらに提供し、ここで、前記コンピュータ読み取り可能な記憶媒体は、電子データ交換用のコンピュータプログラムを記憶し、ここで、前記コンピュータプログラムは、コンピュータに前記データ伝送制御方法実施例における端末に記載のステップの一部または全部を実行させる。
【００８３】
本出願の実施例は、コンピュータ読み取り可能な記憶媒体をさらに提供し、ここで、前記コンピュータ読み取り可能な記憶媒体は、電子データ交換用のコンピュータプログラムを記憶し、ここで、前記コンピュータプログラムは、コンピュータに前記データ伝送制御方法実施例におけるネットワーク装置に記載のステップの一部または全部を実行させる。
【００８４】
本出願の実施例は、コンピュータプログラム製品をさらに提供し、ここで、前記コンピュータプログラム製品は、コンピュータプログラムを記憶する非一時的コンピュータ読み取り可能な記憶媒体を含み、前記コンピュータプログラムは、コンピュータに前記データ伝送制御方法実施例における端末に記載のステップの一部または全部を実行させるように動作可能である。前記コンピュータプログラム製品は、１つのソフトウェアインストールパッケージであり得る。
【００８５】
本出願の実施例は、コンピュータプログラム製品をさらに提供し、ここで、前記コンピュータプログラム製品は、コンピュータプログラムを記憶する非一時的コンピュータ読み取り可能な記憶媒体を含み、前記コンピュータプログラムは、コンピュータに前記データ伝送制御方法におけるネットワーク装置に記載のステップの一部または全部を実行させるように動作可能である。前記コンピュータプログラム製品は、１つのソフトウェアインストールパッケージであり得る。
【００８６】
本出願の実施例に記載の方法またはアルゴリズムのステップは、ハードウェアの方式で実装されてもよく、プロセッサによってソフトウェア命令を実行する方式で実装されてもよい。ソフトウェア命令は、対応するソフトウェアモジュールによって構成されることができ、ソフトウェアモジュールは、ランダムアクセスメモリ（ＲＡＭ：Ｒａｎｄｏｍ  Ａｃｃｅｓｓ  Ｍｅｍｏｒｙ）、フラッシュメモリ、読み取り専用メモリ（ＲＯＭ：Ｒｅａｄ  Ｏｎｌｙ  Ｍｅｍｏｒｙ）、消去可能プログラマブル読み取り専用メモリ（ＥＰＲＯＭ：Ｅｒａｓａｂｌｅ  Ｐｒｏｇｒａｍｍａｂｌｅ  ＲＯＭ）、電気的消去可能プログラマブル読み取り専用メモリ（ＥＥＰＲＯＭ：Ｅｌｅｃｔｒｉｃａｌｌｙ  ＥＰＲＯＭ）、レジスタ、ハードディスク、リムーバブルハードディスク、コンパクトディスクリードオンリーメモリ（ＣＤ−ＲＯＭ）または当技術分野で既知のその他のいずれの形態の記憶媒体に記憶されてもよい。ある例示的な記憶媒体は、プロセッサが当該記憶媒体から情報を読み取り、当該記憶媒体に情報を書き込むことができるように、プロセッサに結合される。もちろん、記憶媒体は、プロセッサの構成部分であることもできる。プロセッサおよび記憶媒体は、ＡＳＩＣに配置されることができる。さらに、当該ＡＳＩＣは、アクセスネットワーク装置、ターゲットネットワーク装置またはコアネットワーク装置に配置されることができる。もちろん、プロセッサおよび記憶媒体は、アクセスネットワーク装置、ターゲットネットワーク装置またはコアネットワーク装置に個別のコンポーネントとして存在することもできる。
【００８７】
当業者は、前記１つ以上の示例において、本出願の実施例で説明された機能は、ソフトウェア、ハードウェア、ファームウェアまたはそれらの任意の組み合わせによって全体的または部分的に実現することができることを理解すべきである。ソフトウェアを使用して実現する場合、コンピュータプログラム製品の形態で全体的または部分的に実現することができる。前記コンピュータプログラム製品は、１つまたは複数のコンピュータ命令を含む。コンピュータに前記コンピュータプログラム命令をロードして実行する場合、本出願の実施例に記載のプロセスまたは機能を全体的または部分的に生成する。前記コンピュータは、汎用コンピュータ、専用コンピュータ、コンピュータネットワーク、または他のプログラマブル装置であり得る。前記コンピュータ命令は、コンピュータ読み取り可能な記憶媒体に記憶され、または１つのコンピュータ読み取り可能な記憶媒体から別のコンピュータ読み取り可能な記憶媒体に伝送することができ、例えば、前記コンピュータ命令は、有線（例えば、同軸ケーブル、光ファイバ、デジタル加入者線（ＤＳＬ：Ｄｉｇｉｔａｌ  Ｓｕｂｓｃｒｉｂｅｒ  Ｌｉｎｅ））または無線（例えば、赤外線、無線、マイクロ波等）を介して、１つのＷｅｂサイト、コンピュータ、サーバまたはデータセンタから別のＷｅｂサイト、コンピュータ、サーバまたはデータセンタに伝送することができる。前記コンピュータ読み取り可能な記憶媒体は、コンピュータがアクセス可能ないずれの利用可能な媒体であり、または１つ以上の利用可能な媒体によって統合されたサーバ、データセンタなどのデータ記憶装置であることができる。前記利用可能な媒体は、磁気媒体（例えば、フロッピーディスク、ハードディスク、磁気テープ）、光学媒体（例えば、デジタルビデオディスク（ＤＶＤ：Ｄｉｇｉｔａｌ  Ｖｉｄｅｏ  Ｄｉｓｃ））、または半導体媒体（例えば、ソリッドステートハードディスク（ＳＳＤ：Ｓｏｌｉｄ  Ｓｔａｔｅ  Ｄｉｓｋ））などであり得る。
【００８８】
上記した具体的な実施形態は、本出願の実施例の目的、技術的解決策及び有利な効果に対してより詳しく説明したが、上記の説明は、単なる本出願の実施例の具体的な実施形態に過ぎず、本出願の実施例の保護範囲を限定することを意図するものではなく、本出願の実施例の技術的解決策に基づいて行われるあらゆる修正、同等の置換、改善などは、本出願の実施例の保護範囲に含まれるべきであることを理解されたい。
【図１】
2021516462.tif 000003
【図２Ａ】
2021516462.tif 000004
【図２Ｂ】
2021516462.tif 000005
【図２Ｃ】
2021516462.tif 000006
【図２Ｄ】
2021516462.tif 000007
【図２Ｅ】
2021516462.tif 000008
【図３】
2021516462.tif 000009
【図４】
2021516462.tif 000010
【図５】
2021516462.tif 000011
【図６】
2021516462.tif 000012
【手続補正書】
【提出日】令和3年1月7日(2021.1.7)
【手続補正１】
【補正対象書類名】特許請求の範囲
【補正対象項目名】全文
【補正方法】変更
【補正の内容】
【特許請求の範囲】
【請求項１】
端末によって実行されるデータ伝送制御方法であって、
前記端末はサビースデータ適応プロトコル（ＳＤＡＰ）層エンティティを含み、前記データ伝送制御方法は、
前記ＳＤＡＰ層エンティティが、応用層からのＳＤＡＰサビースデータユニット（ＳＤＵ）を受信することと、
前記ＳＤＡＰ層エンティティが、前記ＳＤＡＰ  ＳＤＵを処理して、ＳＤＡＰプロトコルデータユニット（ＰＤＵ）を取得することと、
前記ＳＤＡＰ層エンティティが、下位層エンティティに前記ＳＤＡＰ  ＰＤＵを送信することと、を含む、前記データ伝送制御方法。
【請求項２】
前記ＳＤＡＰ層エンティティが、前記ＳＤＡＰ  ＳＤＵを処理して、ＳＤＡＰプロトコルデータユニット（ＰＤＵ）を取得することは、
前記ＳＤＡＰ層エンティティが、無線リソース制御（ＲＲＣ）層エンティティによって構成されたプリセットフォーマットにしたがって前記ＳＤＡＰ  ＳＤＵを処理してＳＤＡＰ  ＰＤＵを取得することを含む、
請求項１に記載のデータ伝送制御方法。
【請求項３】
前記ＳＤＡＰ  ＰＤＵは、ＳＤＡＰヘッダ（ｈｅａｄｅｒ）およびＳＤＡＰペイロード（ｐａｙｌｏａｄ）を含み、前記ＳＤＡＰ  ｈｅａｄｅｒのビット長は８ビットである、
請求項１または２に記載のデータ伝送制御方法。
【請求項４】
前記ＳＤＡＰ  ｈｅａｄｅｒは、１ビットのＲ情報および６ビットのサビース品質フロー識別（ＱＦＩ）を含む、
請求項３に記載のデータ伝送制御方法。
【請求項５】
前記ＳＤＡＰ  ｈｅａｄｅｒは、予約済みＲ情報およびサビース品質フロー識別（ＱＦＩ）を含み、
前記Ｒ情報は、前記ＳＤＡＰ  ｈｅａｄｅｒの最上位ビットを占め、前記ＱＦＩのビット長は７ビットであり、または、
前記Ｒ情報は、前記ＳＤＡＰ  ｈｅａｄｅｒの最上位ビットおよび２番目の最上位ビットを占め、前記ＱＦＩのビット長は６ビットである、
請求項３に記載のデータ伝送制御方法。
【請求項６】
前記ＳＤＡＰ  ＰＤＵは、ＳＤＡＰヘッダ（ｈｅａｄｅｒ）およびＳＤＡＰペイロード（ｐａｙｌｏａｄ）を含み、前記ＳＤＡＰ  ｈｅａｄｅｒのビット長は８ビットであり、前記ＳＤＡＰ  ｈｅａｄｅｒは、ＱＦＩのビット長を指示するためのビット長インジケータおよびサビース品質フロー識別（ＱＦＩ）を含む、
請求項１または２に記載のデータ伝送制御方法。
【請求項７】
前記ビット長インジケータによって指示される前記ＱＦＩのビット長は６ビットまたは７ビットである、
請求項６に記載のデータ伝送制御方法。
【請求項８】
端末であって、
前記端末は、サビースデータ適応プロトコル（ＳＤＡＰ）層エンティティを含み、前記端末は、処理ユニットおよび通信ユニットを含み、
前記処理ユニットは、前記ＳＤＡＰ層エンティティが前記通信ユニットを介して応用層からのＳＤＡＰサビースデータユニット（ＳＤＵ）を受信することを制御し、前記ＳＤＡＰ層エンティティが前記ＳＤＡＰ  ＳＤＵを処理してＳＤＡＰプロトコルデータユニット（ＰＤＵ）を取得することを制御し、前記ＳＤＡＰ層エンティティが前記通信ユニットを介して下位層エンティティに前記ＳＤＡＰ  ＰＤＵを送信することを制御するためである、前記端末。
【請求項９】
前記ＳＤＡＰエンティティが前記ＳＤＡＰ  ＳＤＵを処理してＳＤＡＰプロトコルデータユニット（ＰＤＵ）を取得することを制御する態様において、前記処理ユニットは、具体的に、前記ＳＤＡＰ層エンティティが、ＲＲＣ層エンティティによって構成されたプリセットフォーマットにしたがって前記ＳＤＡＰ  ＳＤＵを処理してＳＤＡＰ  ＰＤＵを取得するように制御するためである、
請求項８に記載の端末。
【請求項１０】
前記ＳＤＡＰ  ＰＤＵは、ＳＤＡＰ  ヘッダ（ｈｅａｄｅｒ）およびＳＤＡＰ  ペイロード（ｐａｙｌｏａｄ）を含み、前記ＳＤＡＰ  ｈｅａｄｅｒのビット長は８ビットである、
請求項８または９に記載の端末。
【請求項１１】
前記ＳＤＡＰ  ｈｅａｄｅｒは、１ビットのＲ情報および６ビットのサビース品質フロー識別（ＱＦＩ）を含む、
請求項１０に記載の端末。
【請求項１２】
前記ＳＤＡＰ  ｈｅａｄｅｒは、予約済みＲ情報およびサビース品質フロー識別（ＱＦＩ）を含み、
前記Ｒ情報は、前記ＳＤＡＰ  ｈｅａｄｅｒの最上位ビットを占め、前記ＱＦＩのビット長は７ビットであり、または、
前記Ｒ情報は、前記ＳＤＡＰ  ｈｅａｄｅｒの最上位ビットおよび２番目の最上位ビットを占め、前記ＱＦＩのビット長は６ビットである、
請求項１０に記載の端末。
【請求項１３】
前記ＳＤＡＰ  ＰＤＵは、ＳＤＡＰ  ヘッダ（ｈｅａｄｅｒ）およびＳＤＡＰ  ペイロード（ｐａｙｌｏａｄ）を含み、前記ＳＤＡＰ  ｈｅａｄｅｒのビット長は８ビットであり、前記ＳＤＡＰ  ｈｅａｄｅｒは、ＱＦＩのビット長を指示するためのビット長インジケータおよびサビース品質フロー識別（ＱＦＩ）を含む、
請求項８または９に記載の端末。
【請求項１４】
前記ビット長インジケータによって指示される前記ＱＦＩのビット長は６ビットまたは７ビットである、
請求項１３に記載の端末。
【請求項１５】
コンピュータ読み取り可能な記憶媒体であって、
電子データ交換用のコンピュータプログラムを記憶し、前記コンピュータプログラムは、端末に請求項１ないし７のいずれか一項に記載のデータ伝送制御方法を実行させる、前記コンピュータ読み取り可能な記憶媒体。
【国際調査報告】
2021516462.tif 000013
2021516462.tif 000014
2021516462.tif 000015
2021516462.tif 000016